(57)【要約】  第１のアクセス方式変更部は、グループに加入した移動局装置からのアクセスを許可する第１のアクセス制御方式と、任意の移動局装置からのアクセスを許可する第２のアクセス制御方式と、の制御を同時に行う第３のアクセス制御方式に基地局装置のアクセス制御方式を変更する。第２のアクセス方式変更部は、第１のアクセス方式変更部が変更した第３のアクセス制御方式から第１のアクセス制御方式に、基地局装置のアクセス制御方式を変更する。
2011046172.tif 000002
【特許請求の範囲】
【請求項１】
グループの識別情報が割り当てられ、当該グループに加入した移動局装置からのアクセスを許可する第１のアクセス制御方式の制御を行う基地局装置と、加入したグループの識別情報を記憶し、当該グループの識別情報が割り当てられた基地局装置へアクセスをする移動局装置と、を具備する無線通信システムにおけるアクセス制御方法において、
第１のアクセス方式変更部が、前記第１のアクセス制御方式と、任意の移動局装置から前記基地局装置へのアクセスを許可する第２のアクセス制御方式と、の制御を同時に行う第３のアクセス制御方式に、前記基地局装置のアクセス制御方式を変更する第１の過程と、
識別情報更新部が、前記第１の過程にて前記第３のアクセス方式に変更した基地局装置に割り当てられたグループの識別情報を、前記移動局装置に記憶させる第２の過程と、
第２のアクセス方式変更部が、前記第１の過程にて変更した第３のアクセス制御方式から前記第１のアクセス制御方式に、前記基地局装置のアクセス制御方式を変更する第３の過程と、
を有することを特徴とするアクセス制御方法。
【請求項２】
前記第１の過程にて、前記基地局装置に割り当てられたグループ識別情報のグループに加入している移動局装置からの加入装置追加要求に基づいて、前記第３のアクセス制御方式に変更することを特徴とする請求項１に記載のアクセス制御方法。
【請求項３】
前記第３の過程にて、前記第２の過程でグループの識別情報を移動局装置に記憶させたことを示す完了通知に基づいて、前記第１のアクセス制御方式に変更することを特徴とする請求項１に記載のアクセス制御方法。
【請求項４】
前記第３の過程にて、前記第１の過程にて第３のアクセス制御方式に変更したときから予め定められた時間が経過した後に、前記第１のアクセス制御方式に変更することを特徴とする請求項１に記載のアクセス制御方法。
【請求項５】
前記第１の過程と、前記第２の過程と、を周期的にくり返すことを特徴とする請求項１に記載のアクセス制御方法。
【請求項６】
前記第３の過程にて、前記グループに加入した移動局装置の数に基づいて、前記第１のアクセス制御方式に変更することを特徴とする請求項１に記載のアクセス制御方法。
【請求項７】
前記第３の過程にて、前記グループに加入した移動局装置であって前記基地局装置にアクセスしている移動局装置の数に基づいて、前記第１のアクセス制御方式に変更することを特徴とする請求項６に記載のアクセス制御方法。
【請求項８】
グループの識別情報が割り当てられ、当該グループに加入した移動局装置からのアクセスを許可する第１のアクセス制御方式の制御を行う基地局装置におけるアクセス制御方法において、
第１のアクセス方式変更部が、前記第１のアクセス制御方式と、任意の移動局装置から前記基地局装置へのアクセスを許可する第２のアクセス制御方式と、の制御を同時に行う第３のアクセス制御方式に前記基地局装置のアクセス制御方式を変更する第１の過程と、
第２のアクセス方式変更部が、前記第１の過程にて変更した第３のアクセス制御方式から前記第１のアクセス制御方式に、前記基地局装置のアクセス制御方式を変更する第２の過程と、
を有することを特徴とするアクセス制御方法。
【請求項９】
加入したグループの識別情報を記憶し、当該グループの識別情報が割り当てられた基地局装置へアクセスをする移動局装置におけるアクセス制御方法において、
識別情報更新部が、前記グループに加入した移動局装置から前記基地局装置へのアクセスを許可する第１のアクセス制御方式と、任意の移動局装置から前記基地局装置へのアクセスを許可する第２のアクセス制御方式と、の制御を同時に行う第３のアクセス制御方式に変更した基地局装置に割り当てられたグループの識別情報を、前記移動局装置に記憶させる課程を有することを特徴とするアクセス制御方法。
【請求項１０】
グループの識別情報が割り当てられ、当該グループに加入した移動局装置からのアクセスを許可する第１のアクセス制御方式の制御を行う基地局装置と、加入したグループの識別情報を記憶し、当該グループの識別情報が割り当てられた基地局装置へアクセスをする移動局装置と、を具備する無線通信システムにおいて、
前記移動局装置は、
前記第１のアクセス制御方式と、任意の移動局装置から前記基地局装置へのアクセスを許可する第２のアクセス制御方式と、の制御を同時に行う第３のアクセス制御方式に変更した基地局装置に割り当てられたグループの識別情報を、前記移動局装置に記憶させる識別情報更新部を備え、
前記基地局装置は、
前記第３のアクセス制御方式に前記基地局装置のアクセス制御方式を変更する第１のアクセス方式変更部と、
前記第１のアクセス方式変更部が変更した第３のアクセス制御方式から前記第１のアクセス制御方式に、前記基地局装置のアクセス制御方式を変更する第２のアクセス方式変更部と、
を備えることを特徴とする無線通信システム。
【請求項１１】
グループの識別情報が割り当てられ、当該グループに加入した移動局装置からのアクセスを許可する第１のアクセス制御方式の制御を行う基地局装置において、
前記第１のアクセス制御方式と、任意の移動局装置からのアクセスを許可する第２のアクセス制御方式と、の制御を同時に行う第３のアクセス制御方式に前記基地局装置のアクセス制御方式を変更する第１のアクセス方式変更部と、
前記第１のアクセス方式変更部が変更した第３のアクセス制御方式から前記第１のアクセス制御方式に、前記基地局装置のアクセス制御方式を変更する第２のアクセス方式変更部と、
を備えることを特徴とする基地局装置。
【請求項１２】
加入したグループの識別情報を記憶し、当該グループの識別情報が割り当てられた基地局装置へアクセスをする移動局装置において、
前記グループに加入した移動局装置からのアクセスを許可する第１のアクセス制御方式と、任意の移動局装置から前記基地局装置へのアクセスを許可する第２のアクセス制御方式と、の制御を同時に行う第３のアクセス制御方式に変更した基地局装置に割り当てられたグループの識別情報を、前記移動局装置に記憶させる識別情報更新部を備えることを特徴とする移動局装置。
【請求項１３】
グループの識別情報が割り当てられ、当該グループに加入した移動局装置からのアクセスを許可する第１のアクセス制御方式の制御を行う基地局装置のコンピュータを、
前記第１のアクセス制御方式と、任意の移動局装置からのアクセスを許可する第２のアクセス制御方式と、の制御を同時に行う第３のアクセス制御方式に前記基地局装置のアクセス制御方式を変更する第１のアクセス制御方式変更手段、
前記第１のアクセス制御方式変更手段にて変更した第３のアクセス制御方式から前記第１のアクセス制御方式に、前記基地局装置のアクセス制御方式を変更する第２のアクセス制御方式変更手段、
として機能させるアクセス制御プログラム。
【請求項１４】
加入したグループの識別情報を記憶し、当該グループの識別情報が割り当てられた基地局装置へアクセスをする移動局装置のコンピュータを、
前記グループに加入した移動局装置からのアクセスを許可する第１のアクセス制御方式と、任意の移動局装置から前記基地局装置へのアクセスを許可する第２のアクセス制御方式と、の制御を同時に行う第３のアクセス制御方式に変更した基地局装置に割り当てられたグループの識別情報を、前記移動局装置に記憶させる識別情報更新手段として機能させることを特徴とするアクセス制御プログラム。
【発明の詳細な説明】
【技術分野】
【０００１】
本発明は、アクセス制御方法、無線通信システム、基地局装置、移動局装置、及びアクセス制御プログラムに関する。
本願は、２００９年１０月１６日に、日本に出願された特願２００９−２３９１７８号に基づき優先権を主張し、その内容をここに援用する。
【背景技術】
【０００２】
近年、無線通信システムにおいては基地局装置（基地局という）として、従来の広範囲なサービスエリアを有するマクロセルに加え、狭い範囲でのサービスや場合によっては特定のユーザのみに対するサービスを企図したホームセルが提案されている。３ＧＰＰ  Ｅ−ＵＴＲＡ（The 3rd Generation Partnership Project Evolved Universal Terrestrial Radio Access；第三世代パートナーシップ・プロジェクトのユニバーサル地上無線通信アクセスの進化）においてもホームセルの運用に関して検討されている（例えば、非特許文献１）。【０００３】
ホームセルの基地局（ホームセル基地局という）と移動局装置（移動局という）とのアクセス制御方式は、現在、以下の三つの方式が提案されている。第一がオープンアクセス方式、第二がハイブリッドアクセス方式、第三がクローズドアクセス方式である。オープンアクセス方式では、マクロセルと同様に、どの移動局もホームセル基地局にアクセスをすることができる。また、ハイブリッドアクセス方式では、ＣＳＧ（Ｃｌｏｓｅｄ  Ｓｕｂｓｃｒｉｂｅｒ  Ｇｒｏｕｐ；特定の加入者グループ、たとえば会社では従業員、施設では利用者、家庭では家族など）に加入している移動局に加えて、ＣＳＧに加入していない移動局であってもホームセル基地局にアクセスをすることができる。また、クローズドアクセス方式では、ＣＳＧに加入している移動局のみがホームセル基地局にアクセスをすることができる。【０００４】
一方、ホームセルは、ローミング中でもその使用が検討されている。つまり、ＶＰＬＭＮ（Ｖｉｓｉｔｅｄ  Ｐｕｂｌｉｃ  Ｌａｎｄ  Ｍｏｂｉｌｅ  Ｎｅｔｗｏｒｋ；移動先の移動通信事業者ネットワーク）のホームセル基地局へ移動局がアクセスをすることがある。よって、ＣＳＧに加入していない移動局がホームセル基地局にアクセスする機会が増加することが予想される。
非特許文献１の５．３．１節には、ＣＳＧに加入している移動局での選択（ｍａｎｕａｌ  ＣＳＧ  ｓｅｌｅｃｔｉｏｎ；マニュアルＣＳＧ選択）操作によって、ＶＰＬＭＮのセルに在圏する他の移動局に対してＣＳＧへの加入資格（ＣＳＧメンバシップ）を付与することが記載されている。ここで、このＣＳＧへの加入資格の付与は、他の移動局のＨＰＬＭＮとＣＳＧに関する情報交換なしに行われる。
【先行技術文献】
【非特許文献】
【０００５】
【非特許文献１】“３ＧＰＰ  ＴＳ２２．２２０”、［online］、［２００９年９月１４日検索］、インターネット＜ＵＲＬ：  ｈｔｔｐ：／／ｗｗｗ．３ｇｐｐ．ｏｒｇ／ｆｔｐ／Ｓｐｅｃｓ／ａｒｃｈｉｖｅ／２２＿ｓｅｒｉｅｓ／２２．２２０／２２２２０−９００．ｚｉｐ＞
【発明の概要】
【発明が解決しようとする課題】
【０００６】
ところで、従来のクローズドアクセス方式のホームセルでは、移動局は、自装置内に記憶するＣＳＧリスト（許可ＣＳＧリスト（Ａｌｌｏｗｅｄ  ＣＳＧ  Ｌｉｓｔ）、又はユーザＣＳＧリスト（Ｕｓｅｒ  ＣＳＧ  Ｌｉｓｔ））に含まれるＣＳＧの識別情報（ＣＳＧ  ＩＤという）が割り当てられたホームセル基地局にのみアクセスをする。つまり、従来技術では、移動局は、緊急呼以外、ＣＳＧリストに含まれないＣＳＧ  ＩＤのみが割り当てられたホームセル基地局にアクセスをすることができない（例えば、非特許文献１の５．３．２節）。
一方、従来技術では、移動局に対してＣＳＧへの加入資格を付与する場合、移動局がホームセル基地局にアクセスをする必要がある。
しかしながら、ホームセル基地局に割り当てられたＣＳＧ  ＩＤが移動局のＣＳＧリストに含まれない場合、移動局がホームセル基地局にアクセスをすることができず、移動局に対してグループへの加入資格を付与することができないという欠点があった。【０００７】
本発明は上記の点に鑑みてなされたものであり、グループへの加入資格を確実に付与することができるアクセス制御方法、無線通信システム、基地局装置、移動局装置、及びアクセス制御プログラムを提供する。
【課題を解決するための手段】
【０００８】
（１）本発明は上記の課題を解決するためになされたものであり、本発明の一態様は、グループの識別情報が割り当てられ、当該グループに加入した移動局装置からのアクセスを許可する第１のアクセス制御方式の制御を行う基地局装置と、加入したグループの識別情報を記憶し、当該グループの識別情報が割り当てられた基地局装置へアクセスをする移動局装置と、を具備する無線通信システムにおけるアクセス制御方法において、第１のアクセス方式変更部が、前記第１のアクセス制御方式と、任意の移動局装置から前記基地局装置へのアクセスを許可する第２のアクセス制御方式と、の制御を同時に行う第３のアクセス制御方式に、前記基地局装置のアクセス制御方式を変更する第１の過程と、識別情報更新部が、前記第１の過程にて前記第３のアクセス方式に変更した基地局装置に割り当てられたグループの識別情報を、前記移動局装置に記憶させる第２の過程と、第２のアクセス方式変更部が、前記第１の過程にて変更した第３のアクセス制御方式から前記第１のアクセス制御方式に、前記基地局装置のアクセス制御方式を変更する第３の過程と、を有することを特徴とするアクセス制御方法である。
上記構成によると、無線通信システムは、第３のアクセス制御方式に基地局装置のアクセス制御方式を変更し、第３のアクセス方式に変更した基地局装置に割り当てられたグループの識別情報を移動局装置に記憶させ、変更した第３のアクセス制御方式から第１のアクセス制御方式に基地局装置のアクセス制御方式を変更する。これにより、無線通信システムでは、グループに加入していなかった移動局装置に対して、グループへの加入資格を確実に付与することができる。【０００９】
（２）また、本発明の一態様は、上記のアクセス制御方法において、前記第１の過程にて、前記基地局装置に割り当てられたグループ識別情報のグループに加入している移動局装置からの加入装置追加要求に基づいて、前記第３のアクセス制御方式に変更することを特徴とする。
上記構成によると、無線通信システムは、基地局装置に割り当てられたグループ識別情報のグループに加入している移動局装置からの加入装置追加要求に基づいて第３のアクセス制御方式に変更するので、グループに加入している移動局装置がグループに加入していなかった移動局装置に対して、グループへの加入資格を確実に付与することができる。【００１０】
（３）また、本発明の一態様は、上記のアクセス制御方法において、前記第３の過程にて、前記第２の過程でグループの識別情報を移動局装置に記憶させたことを示す完了通知に基づいて、前記第１のアクセス制御方式に変更することを特徴とする。
上記構成によると、無線通信システムは、グループの識別情報を移動局装置に記憶させたことを示す完了通知に基づいて、第１のアクセス制御方式に変更する。これにより、無線通信システムは、移動局装置にグループへの加入資格を付与した後、迅速に第１のアクセス制御方式に変更することができ、グループへの加入資格を有しない別の移動局装置が基地局装置にアクセスをすることができる機会を少なくすることができる。【００１１】
（４）また、本発明の一態様は、上記のアクセス制御方法において、前記第３の過程にて、前記第１の過程にて第３のアクセス制御方式に変更したときから予め定められた時間が経過した後に、前記第１のアクセス制御方式に変更することを特徴とする。【００１２】
（５）また、本発明の一態様は、上記のアクセス制御方法において、前記第１の過程と、前記第２の過程と、を周期的にくり返すことを特徴とする。
上記構成によると、無線通信システムは、第１のアクセス制御方式と第３のアクセス制御方式とを周期的にくり返す。これにより、無線通信システムは、例えば、グループへの加入資格に有効期限を設定し、第３のアクセス制御方式に変更されたときにグループへの加入資格を更新させることができ、利用されないグループへの加入資格がいつまでも残ってしまうことを防止することができる。【００１３】
（６）また、本発明の一態様は、上記のアクセス制御方法において、前記第３の過程にて、前記グループに加入した移動局装置の数に基づいて、前記第１のアクセス制御方式に変更することを特徴とする。
上記構成によると、無線通信システムは、グループに加入した移動局装置の数に基づいて第１のアクセス制御方式に変更するので、グループに加入している移動局装置の数を制御することができる。【００１４】
（７）また、本発明の一態様は、上記のアクセス制御方法において、前記第３の過程にて、前記グループに加入した移動局装置であって前記基地局装置にアクセスしている移動局装置の数に基づいて、前記第１のアクセス制御方式に変更することを特徴とする。
上記構成によると、無線通信システムは、グループに加入した移動局装置であって基地局装置とアクセスをしている移動局装置の数に基づいて第１のアクセス制御方式に変更するので、グループに加入し、基地局装置にアクセスをしている移動局装置の数を制御することができる。【００１５】
（８）また、本発明の一態様は、グループの識別情報が割り当てられ、当該グループに加入した移動局装置からのアクセスを許可する第１のアクセス制御方式の制御を行う基地局装置におけるアクセス制御方法において、第１のアクセス方式変更部が、前記第１のアクセス制御方式と、任意の移動局装置から前記基地局装置へのアクセスを許可する第２のアクセス制御方式と、の制御を同時に行う第３のアクセス制御方式に前記基地局装置のアクセス制御方式を変更する第１の過程と、第２のアクセス方式変更部が、前記第１の過程にて変更した第３のアクセス制御方式から前記第１のアクセス制御方式に、前記基地局装置のアクセス制御方式を変更する第２の過程と、を有することを特徴とするアクセス制御方法である。【００１６】
（９）また、本発明の一態様は、加入したグループの識別情報を記憶し、当該グループの識別情報が割り当てられた基地局装置へアクセスをする移動局装置におけるアクセス制御方法において、識別情報更新部が、前記グループに加入した移動局装置から前記基地局装置へのアクセスを許可する第１のアクセス制御方式と、任意の移動局装置から前記基地局装置へのアクセスを許可する第２のアクセス制御方式と、の制御を同時に行う第３のアクセス制御方式に変更した基地局装置に割り当てられたグループの識別情報を、前記移動局装置に記憶させる課程を有することを特徴とするアクセス制御方法である。【００１７】
（１０）また、本発明の一態様は、グループの識別情報が割り当てられ、当該グループに加入した移動局装置からのアクセスを許可する第１のアクセス制御方式の制御を行う基地局装置と、加入したグループの識別情報を記憶し、当該グループの識別情報が割り当てられた基地局装置へアクセスをする移動局装置と、を具備する無線通信システムにおいて、前記移動局装置は、前記第１のアクセス制御方式と、任意の移動局装置から前記基地局装置へのアクセスを許可する第２のアクセス制御方式と、の制御を同時に行う第３のアクセス制御方式に変更した基地局装置に割り当てられたグループの識別情報を、前記移動局装置に記憶させる識別情報更新部を備え、前記基地局装置は、前記第３のアクセス制御方式に前記基地局装置のアクセス制御方式を変更する第１のアクセス方式変更部と、前記第１のアクセス方式変更部が変更した第３のアクセス制御方式から前記第１のアクセス制御方式に、前記基地局装置のアクセス制御方式を変更する第２のアクセス方式変更部と、を備えることを特徴とする無線通信システムである。【００１８】
（１１）また、本発明の一態様は、グループの識別情報が割り当てられ、当該グループに加入した移動局装置からのアクセスを許可する第１のアクセス制御方式の制御を行う基地局装置において、前記第１のアクセス制御方式と、任意の移動局装置からのアクセスを許可する第２のアクセス制御方式と、の制御を同時に行う第３のアクセス制御方式に前記基地局装置のアクセス制御方式を変更する第１のアクセス方式変更部と、前記第１のアクセス方式変更部が変更した第３のアクセス制御方式から前記第１のアクセス制御方式に、前記基地局装置のアクセス制御方式を変更する第２のアクセス方式変更部と、を備えることを特徴とする基地局装置である。【００１９】
（１２）また、本発明の一態様は、加入したグループの識別情報を記憶し、当該グループの識別情報が割り当てられた基地局装置へアクセスをする移動局装置において、前記グループに加入した移動局装置からのアクセスを許可する第１のアクセス制御方式と、任意の移動局装置から前記基地局装置へのアクセスを許可する第２のアクセス制御方式と、の制御を同時に行う第３のアクセス制御方式に変更した基地局装置に割り当てられたグループの識別情報を、前記移動局装置に記憶させる識別情報更新部を備えることを特徴とする移動局装置である。【００２０】
（１３）また、本発明の一態様は、グループの識別情報が割り当てられ、当該グループに加入した移動局装置からのアクセスを許可する第１のアクセス制御方式の制御を行う基地局装置のコンピュータを、前記第１のアクセス制御方式と、任意の移動局装置からのアクセスを許可する第２のアクセス制御方式と、の制御を同時に行う第３のアクセス制御方式に前記基地局装置のアクセス制御方式を変更する第１のアクセス制御方式変更手段、前記第１のアクセス制御方式変更手段にて変更した第３のアクセス制御方式から前記第１のアクセス制御方式に、前記基地局装置のアクセス制御方式を変更する第２のアクセス制御方式変更手段、として機能させるアクセス制御プログラムである。【００２１】
（１４）また、本発明の一態様は、加入したグループの識別情報を記憶し、当該グループの識別情報が割り当てられた基地局装置へアクセスをする移動局装置のコンピュータを、前記グループに加入した移動局装置からのアクセスを許可する第１のアクセス制御方式と、任意の移動局装置から前記基地局装置へのアクセスを許可する第２のアクセス制御方式と、の制御を同時に行う第３のアクセス制御方式に変更した基地局装置に割り当てられたグループの識別情報を、前記移動局装置に記憶させる識別情報更新手段として機能させることを特徴とするアクセス制御プログラムである。
【発明の効果】
【００２２】
本発明によれば、グループへの加入資格を確実に付与することができる。
【図面の簡単な説明】
【００２３】
【図１】本発明の第１の実施形態に係る無線通信システムの概略図である。
【図２】本実施形態に係るホームセル基地局の構成を示す概略ブロック図である。
【図３】本実施形態に係る移動局の構成を示す概略ブロック図である。
【図４】本実施形態に係る無線通信システムでの各装置の動作を示すシーケンス図である。
【図５】本発明の第２の実施形態に係るホームセル基地局の構成を示す概略ブロック図である。
【図６】本実施形態に係る無線通信システムでの各装置の動作を示すシーケンス図である。
【図７】本発明の第３の実施形態に係るホームセル基地局の構成を示す概略ブロック図である。
【図８】本実施形態に係る無線通信システムでの各装置の動作を示すシーケンス図である。
【発明を実施するための形態】
【００２４】
（第１の実施形態）
以下、図面を参照しながら本発明の実施形態について詳しく説明する。
図１は、本発明の第１の実施形態に係る無線通信システム１の概略図である。この図において、無線通信システムは、マクロセル基地局Ｍ、ホームセル基地局Ｈ、移動局Ｂ１１、Ｂ１２を具備する。
マクロセル基地局Ｍは、ホームセル基地局と通信を行う。セルＣ１は、マクロセル基地局Ｍの電波が届く範囲を示す。ホームセル基地局Ｈは、移動局Ｂ１１、Ｂ１２と通信を行う。また、ホームセル基地局Ｈには、ＣＳＧ（Ｃｌｏｓｅｄ  Ｓｕｂｓｃｒｉｂｅｒ  Ｇｒｏｕｐ；特定の加入者グループ、たとえば会社では従業員、施設では利用者、家庭では家族など）ＩＤが予め割り当てられている。セルＣ２は、ホームセル基地局Ｈの電波が届く範囲を示す。通常、ホームセル基地局は、マクロセル基地局に比べてサービスを提供する範囲は狭いが、設置数は多い。
【００２５】
ここで、ホームセル基地局Ｈは、移動局に対してクローズドアクセス方式（第１のアクセス制御方式）のアクセス制御を行う。このクローズドアクセス方式では、ＣＳＧに加入している移動局のみがホームセル基地局Ｈにアクセスをすることができる。具体的には、移動局は、予め記憶する許可ＣＳＧリスト又はユーザＣＳＧリストに、ホームセル基地局Ｈに割り当てられたＣＳＧ  ＩＤが含まれている場合、ホームセル基地局Ｈにアクセス（アタッチ）することができる。
なお、ホームセル基地局のアクセス制御方式には、他に、オープンアクセス方式（第２のアクセス制御方式）及びハイブリッドアクセス方式（第３のアクセス制御方式）がある。オープンアクセス方式では、マクロセル基地局と同様に、どの移動局もホームセル基地局にアクセスをすることができる。ハイブリッドアクセス方式では、ＣＳＧに加入している移動局に加えて、そのＣＳＧに加入していない移動局であってもホームセル基地局にアクセスをすることができる。
【００２６】
本実施形態では、ホームセル基地局Ｈは、自装置に割り当てられているＣＳＧ  ＩＤのＣＳＧに加入している移動局Ｂ１２からのＣＳＧメンバシップ追加要求（加入装置追加要求）に基づいて、アクセス制御方式をクローズドアクセス方式からハイブリッドアクセス方式に変更する。移動局Ｂ１１は、ハイブリッドアクセス方式に変更されたホームセル基地局Ｈにアクセスをし、自装置内の許可ＣＳＧリスト（Ａｌｌｏｗｅｄ  ＣＳＧ  Ｌｉｓｔ）にＣＳＧ  ＩＤを登録し、このＣＳＧに加入する。その後、ホームセル基地局Ｈは、アクセス制御方式をハイブリッドアクセス方式からクローズドアクセス方式に変更する。
以下、ホームセル基地局Ｈをホームセル基地局ｈ１という。また、移動局Ｂ１１を移動局ｂ１という。
【００２７】
＜ホームセル基地局ｈ１について＞
図２は、本実施形態に係るホームセル基地局ｈ１の構成を示す概略ブロック図である。この図において、ホームセル基地局ｈ１は、アンテナ部ｈ１１、受信部ｈ１２、アクセス方式制御部ｈ１３、通信制御部ｈ１４、アプリケーション部ｈ１５、通信部ｈ１６、及び送信部ｈ１７を含んで構成される。ここで、受信部ｈ１２は、メンバ追加要求受信部ｈ１２１を含んで構成される。また、アクセス方式制御部ｈ１３は、第１のアクセス方式変更部ｈ１３１、ＩＤ登録要求部ｈ１３２、第２のアクセス方式変更部ｈ１３３を含んで構成される。
【００２８】
アンテナ部ｈ１１は、移動局ｂ１、Ｂ１２からの無線信号をアンテナを介して受信し、受信した信号を受信部ｈ１２に出力する。また、アンテナ部ｈ１１は、送信部ｈ１７から入力された信号を無線信号として移動局ｂ１、Ｂ１２へ送信する。
受信部ｈ１２は、アンテナ部ｈ１１から入力された信号をダウンコンバートしてＡ／Ｄ変換し、Ａ／Ｄ変換した信号を復調及び復号して得られた受信情報をアクセス方式制御部ｈ１３、通信制御部ｈ１４、及びアプリケーション部ｈ１５に出力する。ここで、受信部ｈ１２のメンバ追加要求受信部ｈ１２１は、自装置に割り当てられているＣＳＧ  ＩＤのＣＳＧに加入している移動局Ｂ１２から受信したＣＳＧメンバ追加要求を、第１のアクセス方式変更部ｈ１３１に出力する。このＣＳＧメンバ追加要求は、自装置に割り当てられているＣＳＧ  ＩＤのＣＳＧに加入している移動局Ｂ１２が、このＣＳＧへの加入資格（ＣＳＧメンバシップ）を他の移動局ｂ１に対して付与することを要求するものである。
【００２９】
第１のアクセス方式変更部ｈ１３１は、メンバ追加要求受信部ｈ１２１からＣＳＧメンバ追加要求が入力されると、アクセス制御方式をクローズドアクセス方式からハイブリッドアクセス方式に変更する変更命令を通信制御部ｈ１４に出力する。すなわち、第１のアクセス方式変更部ｈ１３１は、ホームセル基地局ｈ１に割り当てられたＣＳＧ  ＩＤのＣＳＧに加入している移動局Ｂ１２からのＣＳＧメンバ追加要求に基づいて、ハイブリッドアクセス方式に変更する。
【００３０】
ＩＤ登録要求部ｈ１３２は、アクセス制御方式がハイブリッドアクセス方式のときに、アタッチを許可した移動局ｂ１に対するＩＤ登録要求を通信制御部ｈ１４に出力する。このＩＤ登録要求は、ＣＳＧメンバ追加要求で加入資格を付与するＣＳＧのＣＳＧ  ＩＤを、移動局ｂ１のＣＳＧリストに登録することを要求するものであり、ＣＳＧ  ＩＤが含まれる。また、このＩＤ登録要求にそのＣＳＧ  ＩＤのＣＳＧへの加入資格の有効期限が含まれていてもよい。また、ＩＤ登録要求部ｈ１３２は、移動局ｂ１がＣＳＧ  ＩＤの登録を完了した場合、その完了応答（完了通知）を通信制御部ｈ１４を介して受信し、第２のアクセス方式変更部ｈ１３３に出力する。
【００３１】
第２のアクセス方式変更部ｈ１３３は、ＩＤ登録要求部ｈ１３２から完了応答が入力されると、アクセス制御方式をハイブリッドアクセス方式からクローズドアクセス方式に変更する変更命令を通信制御部ｈ１４に出力する。すなわち、第２のアクセス方式変更部ｈ１３３は、完了応答に基づいてクローズドアクセス方式に変更する。
【００３２】
通信制御部ｈ１４は、ホームセル基地局ｈ１の各部を制御する。例えば、通信制御部ｈ１４は、第１のアクセス方式変更部ｈ１３１及び第２のアクセス方式変更部ｈ１３３からの変更命令に基づいて、アクセス制御方式を変更する。また、例えば、通信制御部ｈ１４は、ＩＤ登録要求部ｈ１３２から入力されたＩＤ登録要求を送信部ｈ１７及びアンテナ部ｈ１１を介して移動局ｂ１に送信する。また、通信制御部ｈ１４は、その完了応答をアンテナ部ｈ１１及び受信部ｈ１２を介して受信してＩＤ登録要求部ｈ１３２に出力する。
アプリケーション部ｈ１５は、受信部ｈ１２から入力された受信情報を処理する。また、アプリケーション部ｈ１５は、通信部ｈ１６を介して、他の装置と通信を行う。
送信部ｈ１７は、通信制御部ｈ１４及びアプリケーション部ｈ１５から入力された送信情報を符号化及び変調してＤ／Ａ変換し、Ｄ／Ａ変換した信号をアップコンバートしてアンテナ部ｈ１１に出力する。
【００３３】
＜移動局ｂ１について＞
図３は、本実施形態に係る移動局ｂ１の構成を示す概略ブロック図である。この図において、移動局ｂ１は、アンテナ部ｂ１１、受信部ｂ１２、通信制御部ｂ１３、ＩＤ更新部ｂ１４、ＣＳＧリスト記憶部ｂ１５、アプリケーション部ｂ１６、及び送信部ｂ１７を含んで構成される。
【００３４】
アンテナ部ｂ１１は、ホームセル基地局ｈ１からの無線信号をアンテナを介して受信し、受信した信号を受信部ｂ１２に出力する。また、アンテナ部ｂ１１は、送信部ｂ１７から入力された信号を無線信号としてホームセル基地局ｈ１へ送信する。
受信部ｂ１２は、アンテナ部ｂ１１から入力された信号をダウンコンバートしてＡ／Ｄ変換し、Ａ／Ｄ変換した信号を復調および復号して得られた受信情報を通信制御部ｂ１３及びアプリケーション部ｂ１６に出力する。
通信制御部ｂ１３は、移動局ｂ１の各部を制御する。例えば、通信制御部ｂ１３は、受信部ｂ１２から入力された受信情報のうちＩＤ登録要求を、ＩＤ更新部ｂ１４に出力する。また、例えば、通信制御部ｂ１３は、ＩＤ更新部ｂ１４から入力された完了応答を、送信部ｂ１７及びアンテナ部ｂ１１を介してホームセル基地局ｈ１に送信する。
【００３５】
ＩＤ更新部ｂ１４（識別情報更新部）は、通信制御部ｂ１３から入力されたＩＤ登録要求からＣＳＧ  ＩＤを抽出する。ＩＤ更新部ｂ１４は、抽出したＣＳＧ  ＩＤをＣＳＧリスト記憶部ｂ１５が記憶する許可ＣＳＧリストＬ１５１に追加登録する。すなわち、ＩＤ更新部ｂ１４は、ハイブリッドアクセス方式に変更したホームセル基地局ｈ１に割り当てられたＣＳＧ  ＩＤを、移動局装置ｂ１に記憶させる。
また、ＩＤ更新部ｂ１４は、ＣＳＧ  ＩＤの登録を完了した場合、その完了応答を通信制御部ｂ１３に出力する。なお、ＩＤ登録要求に加入資格の有効期限が含まれている場合、ＩＤ更新部ｂ１４は、その有効期限の経過後にこのＣＳＧ  ＩＤを許可ＣＳＧリストＬ１５１（図３）から削除する。
【００３６】
ＣＳＧリスト記憶部ｂ１５は、許可ＣＳＧリストＬ１５１及びユーザＣＳＧリストＬ１５２を記憶する。なお、ＩＤ更新部ｂ１４及びＣＳＧリスト記憶部ｂ１５は、移動局に着脱可能なＵＳＩＭ（Ｕｓｅｒ  Ｓｕｂｓｃｒｉｂｅｒ  Ｉｄｅｎｔｉｔｙ  Ｍｏｄｕｌｅ；加入者識別モジュール）であってもよい。
アプリケーション部ｂ１６は、受信部ｂ１２から入力された受信情報を処理する。例えば、アプリケーション部ｂ１６は、ユーザインタフェース、ブラウジング、メール等の処理を行う。
送信部ｂ１７は、通信制御部ｂ１３及びアプリケーション部ｂ１６から入力された送信情報を符号化及び変調し次いでＤ／Ａ変換し、Ｄ／Ａ変換した信号をアップコンバートしてアンテナ部ｂ１１に出力する。
【００３７】
＜無線通信システム１での各装置の動作について＞
図４は、本実施形態に係る無線通信システム１での各装置の動作を示すシーケンス図である。この図は、初期状態として、ホームセル基地局ｈ１にＣＳＧ  ＩＤ「１２３４」が割り当てられ、ホームセル基地局ｈ１は、そのＣＳＧ  ＩＤのＣＳＧへの加入資格を有する移動局装置のみにアクセスを許可するクローズドアクセス方式のアクセス制御を行うことを示す。また、初期状態として、移動局ｂ１は許可ＣＳＧリストにＣＳＧ  ＩＤ「１２３４」を含まないことを示し、移動局Ｂ１２は許可ＣＳＧリストにＣＳＧ  ＩＤ「１２３４」を含むことを示す。つまり、移動局Ｂ１２はＣＳＧ  ＩＤ「１２３４」のＣＳＧへの加入資格を有しており、緊急呼以外でも、ホームセル基地局ｈ１にアクセスをすることができる。
【００３８】
（ステップＳ１０１）移動局ｂ１は、アタッチ要求をホームセル基地局ｈ１へ送信する。その後、ステップＳ１０２に進む。
（ステップＳ１０２）ホームセル基地局ｈ１は、移動局ｂ１がＣＳＧへの加入資格を有さないと判定し、アタッチ拒否を移動局ｂ１へ送信する。つまり、この時点では、移動局ｂ１は、ＣＳＧ  ＩＤ「１２３４」のＣＳＧへの加入資格を有しておらず、緊急呼以外、ホームセル基地局ｈ１にアクセスをすることができない。その後、ステップＳ１０３に進む。
（ステップＳ１０３）移動局Ｂ１２は、ユーザによる選択（ｍａｎｕａｌ  ＣＳＧ  ｓｅｌｅｃｔｉｏｎ；マニュアルＣＳＧ選択）操作に基づいて、ＣＳＧメンバ追加要求をホームセル基地局ｂ１へ送信する。その後、ステップＳ１０４に進む。
【００３９】
（ステップＳ１０４）ホームセル基地局ｈ１は、アクセス制御方式をクローズドアクセス方式からハイブリッドアクセス方式に変更する。その後、ステップＳ１０５に進む。
（ステップＳ１０５）移動局ｂ１は、アタッチ要求をホームセル基地局ｈ１へ送信する。その後、ステップＳ１０６に進む。
（ステップＳ１０６）ホームセル基地局ｈ１は、アクセス制御方式がハイブリッド方式であるため、ＣＳＧへの加入資格を有していない移動局ｂ１に対してもアタッチ許可を送信する。これにより、移動局ｂ１は、ホームセル基地局ｈ１にアクセスをすることができる。その後、ステップＳ１０７に進む。
【００４０】
（ステップＳ１０７）ホームセル基地局ｈ１は、ＣＳＧ  ＩＤ「１２３４」のＩＤ登録要求を移動局ｂ１へ送信する。その後、ステップＳ１０８に進む。
（ステップＳ１０８）移動局ｂ１は、許可ＣＳＧリストにＣＳＧ  ＩＤ「１２３４」を追加登録する。これにより、移動局ｂ１は、緊急呼以外でも、ホームセル基地局ｈ１にアクセスをすることができる。その後、ステップＳ１０９に進む。
（ステップＳ１０９）移動局ｂ１は、ＣＳＧリストにＣＳＧ  ＩＤ「１２３４」の登録が完了したことを示す完了応答を、ホームセル基地局ｈ１へ送信する。その後、ステップＳ１１０に進む。
【００４１】
（ステップＳ１１０）ホームセル基地局ｈ１は、アクセス制御方式をハイブリッドアクセス方式からクローズドアクセス方式に変更する。その後、ステップＳ１１１に進む。
（ステップＳ１１１）移動局ｂ１は、ホームセル基地局ｈ１にアクセスして通信を行う。この通信（通常通信）には、緊急呼以外の通信も含まれる。
【００４２】
このように、本実施形態によれば、無線通信システム１は、ハイブリッドアクセス方式にホームセル基地局ｈ１のアクセス制御方式を変更し、ハイブリッドアクセス方式に変更したホームセル基地局ｈ１に割り当てられたＣＳＧ  ＩＤを移動局ｂ１に記憶させ、変更したハイブリッドアクセス方式からクローズドアクセス方式にホームセル基地局ｈ１のアクセス制御方式を変更する。これにより、無線通信システム１では、ＣＳＧに加入していなかった移動局ｂ１に対して、ＣＳＧへの加入資格を確実に付与することができる。
【００４３】
また、本実施形態によれば、無線通信システム１は、ホームセル基地局ｈ１に割り当てられたＣＳＧに加入している移動局Ｂ１２からの加入装置追加要求に基づいてハイブリッドアクセス方式に変更するので、ＣＳＧに加入している移動局Ｂ１２がＣＳＧに加入していなかった移動局ｂ１に対して、ＣＳＧへの加入資格を確実に付与することができる。また、たとえば自宅に招いた知人を自宅設置ホームセルにアクセスさせることができる。
また、本実施形態によれば、無線通信システム１は、ＣＳＧ  ＩＤを移動局ｂ１に記憶させたことを示す完了応答に基づいて、クローズドアクセス方式に変更する。これにより、無線通信システム１は、移動局ｂ１にＣＳＧへの加入資格を付与した後、迅速にクローズドアクセス方式に変更することができ、ＣＳＧへの加入資格を有しない別の移動局がホームセル基地局ｈ１にアクセスをすることができる機会を少なくすることができる。よって、ＣＳＧへの加入資格を有し、ホームセル基地局ｈ１を利用できる移動局の数を限定することができ、ホームセル基地局ｈ１の運用が円滑に行われる。
【００４４】
（第２の実施形態）
以下、図面を参照しながら本発明の第２の実施形態について詳しく説明する。
上記第１の実施形態では、ホームセル基地局ｈ１は、移動局Ｂ１２からのＣＳＧメンバシップ追加要求に基づいてアクセス制御方式を変更する場合について説明をした。本実施形態では、ホームセル基地局が予め定めた期間毎にアクセス制御方式を変更する場合について説明をする。
本実施形態に係る無線通信システム２の概略図は、図１と同じであるので説明は省略する。以下、ホームセル基地局Ｈをホームセル基地局ｈ２という。また、本実施形態に係る移動局Ｂ１１が持つ機能及び構成は、移動局ｂ１と同じであるので説明は省略する。
【００４５】
図５は、本発明の第２の実施形態に係るホームセル基地局ｈ２の構成を示す概略ブロック図である。本実施形態に係るホームセル基地局ｈ２（図５）と第１の実施形態に係るホームセル基地局ｈ１（図２）とを比較すると、アクセス方式制御部ｈ２３の第１のアクセス方式変更部ｈ２３１、第２のアクセス方式変更部ｈ２３３、及び計時部ｈ２８が異なる。しかし、他の構成要素（アンテナ部ｈ１１、受信部ｈ１２、ＩＤ登録要求部ｈ１３２、通信制御部ｈ１４、アプリケーション部ｈ１５、通信部ｈ１６、及び送信部ｈ１７）が持つ機能は第１の実施形態と同じである。第１の実施形態と同じ機能の説明は省略する。
【００４６】
計時部ｈ２８は、計時した時間を第１のアクセス方式変更部ｈ２３１及び第２のアクセス方式変更部ｈ２３３に出力する。計時部ｈ２８はカウンタを備え、カウンタの計数値が満了した時点でリセットして、後述する変更命令を生成させるための信号を第１のアクセス変更部ｈ２３１へ出力するとともに、再度計数を開始する。また、計時部ｈ２８は、計数値がＴ０を示す時点で、変更命令を生成させるための信号を第２のアクセス変更部ｈ２３３へ出力する。また、計時部ｈ２８は、計数値がＴ０＋Ｔ２を示す時点を、カウンタの計数値が満了した時点としてリセットする。
第１のアクセス方式変更部ｈ２３１は、計時部ｈ２８から信号が入力されると、アクセス制御方式をハイブリッドアクセス方式に変更する変更命令を通信制御部ｈ１４に出力する。つまり、第１のアクセス方式変更部ｈ２３１は、計時部ｈ２８が時間の計時を開始する時点、及び、後述する第２のアクセス方式変更部ｈ２３３がクローズドアクセス方式に変更したときから予め定めた期間Ｔ２が経過した後に、ハイブリッドアクセス方式に変更する。
第２のアクセス方式変更部ｈ２３３は、計時部ｈ２８から信号が入力されると、アクセス制御方式をクローズドアクセス方式に変更する変更命令を通信制御部ｈ１４に出力する。すなわち、第２のアクセス方式変更部ｈ２３３は、ハイブリッドアクセス方式に変更したときから予め定められた時間Ｔ０が経過した後に、クローズドアクセス方式に変更する。
これにより、ホームセル基地局ｈ２のアクセス制御方式は、期間Ｔ０の間にハイブリッドアクセス方式、期間Ｔ２の間にクローズドアクセス方式、を周期的にくり返す。
【００４７】
＜無線通信システム２での各装置の動作について＞
図６は、本実施形態に係る無線通信システム２での各装置の動作を示すシーケンス図である。本実施形態に係るシーケンス図（図６）と第１の実施形態に係るシーケンス図（図４）とを比較すると、ステップＳ１０１、Ｓ１０２、Ｓ１０５、Ｓ１０６、Ｓ１０９、Ｓ１１１の処理は同じである。第１の実施形態と同じ処理の説明は省略する。また、図６は、移動局ｂ１及びホームセル基地局ｈ２の初期状態が、それぞれ、第１の実施形態の移動局ｂ１及びホームセル基地局ｈ１（図４）と同じであることを示す。
【００４８】
（ステップＳ２０４）移動局ｂ１は、タイマが満了し、新たな時間の計時を開始する時点で、アクセス制御方式をクローズドアクセス方式からハイブリッドアクセス方式に変更する。その後、ステップＳ１０５に進む。
（ステップＳ２０７）ホームセル基地局ｈ２は、ＣＳＧ  ＩＤ「１２３４」、及び、そのＣＳＧ  ＩＤのＣＳＧへの加入資格の有効期限Ｔ１のＩＤ登録要求を移動局ｂ１へ送信する。その後、ステップＳ２０８に進む。
【００４９】
（ステップＳ２０８）移動局ｂ１は、許可ＣＳＧリストにＣＳＧ  ＩＤ「１２３４」、及び有効期限Ｔ１を追加登録する。これにより、移動局ｂ１は、有効期限Ｔ１の間、緊急呼以外でも、ホームセル基地局ｈ２にアクセスをすることができる。その後、ステップＳ１０９に進む。
（ステップＳ２１０）ホームセル基地局ｈ２は、ステップＳ２０４にてアクセス制御方式をハイブリッドアクセス方式に変更した時点から予め定めた期間Ｔ０が経過した時点で、アクセス制御方式をクローズドアクセス方式に変更する。その後、ステップＳ１１１に進む。
【００５０】
（ステップＳ２１２）移動局ｂ１は、ステップＳ２０８にてＣＳＧ  ＩＤを追加登録した時点から有効期限Ｔ１が経過した時点で、ステップＳ２０８登録したＣＳＧ  ＩＤ「１２３４」を許可ＣＳＧリストから削除する。その後、ステップＳ２１３に進む。
（ステップＳ２１３）ホームセル基地局ｈ２は、ステップＳ２１０にてアクセス制御方式をクローズドアクセス方式に変更した時点から予め定めた期間Ｔ２が経過した時点で、アクセス制御方式をハイブリッドアクセス方式に変更する。
【００５１】
このように、本実施形態によれば、無線通信システム２は、クローズドアクセス方式とハイブリッドアクセス方式とを周期的にくり返すので、ＣＳＧへの加入資格に有効期限を設定してハイブリッドアクセス方式のときにＣＳＧへの加入資格を更新させることができ、利用されないＣＳＧへの加入資格がいつまでも残ってしまうことを防止することができる。
【００５２】
また、本実施形態において、期間Ｔ１と期間Ｔ２を同程度の長さに定め、期間Ｔ０を期間Ｔ１及び期間Ｔ２より相対的に短い時間に定めてもよい。この場合、期間Ｔ２の終了とほぼ同時に期間Ｔ１が終了するので、有効期限がＴ１のＣＳＧへの参加資格を移動局ｂ１に付与し、有効期限切れになったらすみやかに新たなＣＳＧへの参加資格を移動局ｂ１に付与することができ、ＣＳＧへの参加資格を維持しつつ更新させることができる。
【００５３】
（第３の実施形態）
以下、図面を参照しながら本発明の第３の実施形態について詳しく説明する。
本実施形態では、ホームセル基地局がＣＳＧに加入している移動局の数に基づいて、アクセス制御方式を変更する場合について説明をする。
本実施形態に係る無線通信システム３の概略図は、図１と同じである。ただし、本実施形態では、セルＣ３内に移動局ｂ１と同じ構成の移動局（他の移動局という）が多数在圏する。以下、ホームセル基地局Ｈをホームセル基地局ｈ３という。また、本実施形態に係る移動局Ｂ１１が持つ機能及び構成は、移動局ｂ１と同じであるので説明は省略する。
【００５４】
図７は、本発明の第３の実施形態に係るホームセル基地局ｈ３の構成を示す概略ブロック図である。本実施形態に係るホームセル基地局ｈ３（図７）と第１の実施形態に係るホームセル基地局ｈ１（図２）とを比較すると、アクセス方式制御部ｈ３３の第２のアクセス方式変更部ｈ３３３、及びＩＤ登録数算出部ｈ３８が異なる。しかし、他の構成要素（アンテナ部ｈ１１、受信部ｈ１２、第１のアクセス方式変更部ｈ１３１、ＩＤ登録要求部ｈ１３２、通信制御部ｈ１４、アプリケーション部ｈ１５、通信部ｈ１６、及び送信部ｈ１７）が持つ機能は第１の実施形態と同じである。第１の実施形態と同じ機能の説明は省略する。
【００５５】
ＩＤ登録数算出部ｈ３８は、ＩＤ登録要求部ｈ１３２から完了応答が入力されると、その数を計数する。これにより、ＩＤ登録数算出部ｈ３８は、ホームセル基地局ｈ３にアクセスをし、ＣＳＧリストにＣＳＧ  ＩＤが登録された移動局の数、つまり、ＣＳＧに加入している移動局の数（ＣＳＧ加入数という）を計数する。ＩＤ登録数算出部ｈ３８は、計数したＣＳＧ加入数を第２のアクセス方式変更部ｂ３３３に出力する。
【００５６】
第２のアクセス方式変更部ｈ３３３は、ＩＤ登録数算出部ｈ３８から入力されたＣＳＧ加入数が予め定めた値Ｋ以上である場合に、アクセス制御方式をハイブリッドアクセス方式からクローズドアクセス方式に変更する変更命令を通信制御部ｈ１４に出力する。すなわち、第２のアクセス方式変更部ｈ３３３は、ＣＳＧに加入した移動局の数に基づいて、クローズドアクセス方式に変更する。
【００５７】
＜無線通信システム３での各装置の動作について＞
図８は、本実施形態に係る無線通信システム３での各装置の動作を示すシーケンス図である。本実施形態に係るシーケンス図（図８）と第１の実施形態に係るシーケンス図（図４）とを比較すると、ステップＳ１０１〜Ｓ１０９の処理は同じである。第１の実施形態と同じ処理の説明は省略する。また、図８は、移動局ｂ１及びホームセル基地局ｈ３の初期状態が、それぞれ、第１の実施形態の移動局ｂ１及びホームセル基地局ｈ１（図４）と同じであることを示す。また、この図は、移動局Ｂ１２の初期状態も第１の実施形態と同じであることを示す。
【００５８】
（ステップＳ３１０）ホームセル基地局ｈ３は、完了応答の数、つまり、ＣＳＧ加入数を１増加させる。その後、ステップＳ３１１に進む。
（ステップＳ３１１）他の移動局は、移動局ｂ１と同様に、ＣＳＧ  ＩＤを登録し、その完了応答をホームセル基地局ｈ３へ送信する。その後、ステップＳ３１２に進む。
（ステップＳ３１２）ホームセル基地局ｈ３は、ＣＳＧ加入数を１増加させる。その後、別の他の移動局は、ステップＳ３１１と同様の処理を行い、その処理に対して、ホームセル基地局ｈ３は、ステップＳ３１２の処理を行う。その後、ステップＳ３１３に進む。
【００５９】
（ステップＳ３１３）別の他の移動局は、移動局ｂ１と同様に、ＣＳＧ  ＩＤを登録し、その完了応答をホームセル基地局ｈ３へ送信する。その後、ステップＳ３１４に進む。
（ステップＳ３１４）ホームセル基地局ｈ３は、ＣＳＧ加入数を１増加させる。その後、ステップＳ３１５に進む。
（ステップＳ３１５）ホームセル基地局ｈ３は、ステップＳ３１４で計数したＣＳＧ加入数がＫ以上になったことを検出する。その後、ステップＳ３１６に進む。
（ステップＳ３１６）ホームセル基地局ｈ３は、アクセス制御方式をハイブリッドアクセス方式からクローズドアクセス方式に変更する。その後、ステップＳ３１７に進む。
（ステップＳ３１７）移動局ｂ１は、ホームセル基地局ｈ３にアクセスして通信を行う。この通信には、緊急呼以外の通信も含まれる。その後、ステップＳ３１８に進む。
（ステップＳ３１８）他の移動局ｂ１各々は、ホームセル基地局ｈ３にアクセスして通信を行う。この通信には、緊急呼以外の通信も含まれる。
【００６０】
このように、本実施形態によれば、無線通信システム３は、ＣＳＧに加入した移動局の数に基づいてクローズドアクセス方式に変更するので、ＣＳＧに加入している移動局装置の数を制御することができる。
【００６１】
なお、上記各実施形態において、ホームセル基地局ｈ１、２、３は、ホームセル基地局ｈ１、２、３は、アタッチ要求で自装置に割り当てられたＣＳＧ  ＩＤを送信した移動局のみにアタッチを許可することで、クローズドアクセス方式のアクセス制御を行ってもよい。また、ＣＳＧに加入している移動局の識別情報を記憶し、記憶する識別情報の移動局のみにアタッチを許可することで、クローズドアクセス方式のアクセス制御を行ってもよい。
【００６２】
また、上記第２の実施形態において、ホームセル基地局ｈ２が予め定めた期間毎にアクセス制御方式を変更する場合について説明したが、本発明はこれに限らず、ホームセル基地局ｈ２は、予め定めた時刻に予め定めたアクセス制御方式に変更してもよい。なお、この場合、計時部ｈ２８は、時刻情報を第１のアクセス方式変更部ｈ２３１及び第２のアクセス方式変更部ｈ２３３に出力する。
例えば、商品の販売、サービスの提供を行う店舗等に設置されたホームセル基地局ｈ２が、予め定めた時間帯（例えば、９：００〜１０：００）のみだけハイブリッドセル方式に変更し、ＣＳＧへの加入資格を付与する。そして、そのＣＳＧ加入した移動局を所持するユーザに対して、商品価格やサービス価格の値引き、金券やポイントの付与、クーポン券配布等の割引サービスを行ってもよい。これにより、店舗等では、予め定めた時間帯で集客をすることができる。
【００６３】
また、上記第１、３の実施形態において、ＣＳＧメンバシップ追加要求が、ＣＳＧへの加入資格を付与する移動局ｂ１の識別情報を含み、ホームセル基地局ｈ１、ｈ３は、ＣＳＧメンバシップ追加要求に含まれる識別情報の移動局ｂ１にのみＩＤ登録要求を送信してもよい。また、ホームセル基地局ｈ１、ｈ３は、この識別情報の移動局ｂ１にのみアタッチを許可してもよい。
【００６４】
また、上記第３の実施形態において、無線通信システム３は、ＣＳＧに加入した移動局の数に基づいてクローズドアクセス方式に変更しているが、本発明はこれに限らず、ＣＳＧに加入した移動局であってホームセル基地局ｈ３にアクセス（アタッチ）している移動局装置の数に基づいてクローズドアクセス方式に変更してもよい。具体的には、この移動局装置の数が予め定めた値Ｋ以上である場合に、アクセス制御方式をハイブリッドアクセス方式からクローズドアクセス方式に変更する。これにより、ＣＳＧに加入し、ホームセル基地局ｈ３にアクセスをしている移動局の数を制御することができる。
【００６５】
また、上記第３の実施形態において、ホームセル基地局ｈ３は、予め定めた値Ｋを変化させてもよく、例えば、各移動局の必要スループットに応じて、大きなスループットが必要な場合にはＫを小さく、スループットはさほど必要でなく少なくともアクセスが可能であればよい場合にはＫを大きくしてもよい。
【００６６】
また、上記第３の実施形態において、ホームセル基地局ｈ３は、有効期限切れ、加入資格の放棄、又は、アクセス（アタッチ）の解除等によって、ＣＳＧに加入しなくなった移動局の数をＣＳＧ加入数から減算してもよい。このとき、ホームセル基地局ｈ３は、ＣＳＧ加入数が予め定めた値Ｋより小さくなった場合に、クローズドアクセス方式からハイブリッドアクセス方式にアクセス制御方式を変更してもよい。
【００６７】
なお、上述した実施形態におけるホームセル基地局ｈ１、ｈ２、ｈ３、移動局ｂ１、Ｂ１２の一部、例えば、メンバ追加要求受信部ｈ１２１、第１のアクセス方式変更部ｈ１３１、ｈ２３１、ＩＤ登録要求部ｈ１３２、第２のアクセス方式変更部ｈ１３３、ｈ２３３、ｈ３３３、通信制御部ｈ１４、通信制御部ｈ１３、ＩＤ更新部ｂ１４、計時部ｈ２８、及びＩＤ登録数算出部ｈ３８をコンピュータで実現するようにしても良い。その場合、この制御機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、ホームセル基地局ｈ１、ｈ２、ｈ３、又は移動局ｂ１、Ｂ１２に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【００６８】
以上、図面を参照してこの発明の一実施形態について詳しく説明してきたが、具体的な構成は上述のものに限られることはなく、この発明の要旨を逸脱しない範囲内において様々な設計変更等をすることが可能である。
【産業上の利用可能性】
【００６９】
本発明は、通信システム、移動局装置、及び基地局装置において用いて好適であり、グループへの加入資格を確実に付与することができる。
【符号の説明】
【００７０】
Ｈ、ｈ１、ｈ２、ｈ３・・・ホームセル基地局、Ｂ１１、ｂ１・・・移動局、Ｂ１２・・・移動局、ｈ１１・・・アンテナ部、ｈ１２・・・受信部、ｈ１３、ｈ２３、ｈ３３・・・アクセス方式制御部、ｈ１４・・・通信制御部、ｈ１５・・・アプリケーション部、ｈ１６・・・通信部、ｈ１７・・・送信部、ｈ１２１・・・メンバ追加要求受信部、ｈ１３１、ｈ２３１・・・第１のアクセス方式変更部、ｈ１３２・・・ＩＤ登録要求部、ｈ１３３、ｈ２３３、ｈ３３３・・・第２のアクセス方式変更部、ｂ１１・・・アンテナ部、ｂ１２・・・受信部、ｈ１３・・・通信制御部、ｂ１４・・・ＩＤ更新部、ｂ１５・・・ＣＳＧリスト記憶部、ｈ１６・・・アプリケーション部、ｂ１７・・・送信部、Ｌ１５１・・・許可ＣＳＧリスト、Ｌ１５２・・・ユーザＣＳＧリスト、ｈ２８・・・計時部、ｈ３８・・・ＩＤ登録数算出部
【図１】
2011046172.tif 000003
【図２】
2011046172.tif 000004
【図３】
2011046172.tif 000005
【図４】
2011046172.tif 000006
【図５】
2011046172.tif 000007
【図６】
2011046172.tif 000008
【図７】
2011046172.tif 000009
【図８】
2011046172.tif 000010
【国際調査報告】
2011046172.tif 000011
2011046172.tif 000012
2011046172.tif 000013
2011046172.tif 000014